(57)【特許請求の範囲】
【請求項１】
複数の入浴用設備機器を搭載した移動入浴車であって、
前記移動入浴車は、ベース車両と、前記ベース車両に設けられているコンテナボックスとを有し、
前記コンテナボックスには、前記コンテナボックスの内部に固定されて設けられている枠状のコアフレームと、前記コアフレームに対して着脱自在に設けられているパーツフレームとが収容されており、
前記パーツフレームには、前記入浴用設備機器の少なくとも１つが支持されていることを特徴とする移動入浴車。
【請求項２】
前記コアフレームは、前記移動入浴車の荷室の床面に設置されるＸ軸コアフレームと、前記移動入浴車の荷室の床面に対してほぼ垂直に設けられ、前記Ｘ軸コアフレームの上面または側面にその下端部が固定されたＹ軸コアフレームとから構成されている請求項１に記載の移動入浴車。
【請求項３】
前記Ｙ軸コアフレームの上端部に該Ｙ軸コアフレームの横揺れを規制する横揺れ規制手段が設けられている請求項２に記載の移動入浴車。
【請求項４】
前記パーツフレームは、少なくとも前記Ｘ軸コアフレームの上面または側面に取り付けられる請求項２または３に記載の移動入浴車。
【請求項５】
前記入浴用設備機器は、浴槽を含み、前記コアフレームは、少なくとも前記浴槽を支持し得るよう構成されている請求項１ないし４のいずれかに記載の移動入浴車。
【請求項６】
前記入浴用設備機器は、入浴用水を加熱する際に使用されるボイラーと、該ボイラーの燃料を貯蔵する燃料タンクとを含む請求項１ないし５のいずれかに記載の移動入浴車。
【請求項７】
前記パーツフレームは、第１のパーツフレームと第２のパーツフレームとを含み、前記第１のパーツフレームおよび前記第２のパーツフレームは、前記コアフレームを挟んで対向配置されている請求項１ないし６のいずれかに記載の移動入浴車。
【請求項８】
前記第１のパーツフレームは前記ボイラーを支持し、前記第２のパーツフレームは、前記燃料タンクを支持するよう構成されている請求項７に記載の移動入浴車。
【発明の詳細な説明】
【０００１】
【発明の属する技術分野】
本発明は、車中に積載された浴槽等の入浴用機器を訪問先の住宅に運び込んで入浴者を入浴させる移動入浴サービスに用いられる移動入浴車に関するものである。
【０００２】
【従来の技術】
一般に、車中に積載された浴槽等の入浴用設備機器を訪問先の住宅に運び込んで入浴者を入浴させる移動入浴サービスに使用される移動入浴車は、箱型商用車（ワンボックス車）の荷室の内部に、浴槽等への給湯に必要な貯水タンクやボイラー、ポンプ等の入浴用設備機器を架装することによって製作されている。
【０００３】
箱型商用車の荷室内に入浴用設備機器を架装する手法としては、荷室の底板や側板に架装用の孔を設け、その孔を利用して給湯設備機器をネジや各種結合部材によって固定する手法が一般に用いられている。
【０００４】
ここで、箱型商用車は、車種によって荷室の形状や荷室の床下あるいは側板を通る燃料配管、ブレーキ伝達配管や、電気系統の配線等が様々であるため、前述した取付け用の孔を設けることが可能な位置がそれぞれ異なっている。さらに、自動車メーカーは、モデルチェンジの際に荷室の形状その他の仕様を変更してしまう。そのため、入浴用設備機器の配置に複数車種に対する互換性を持たせることができず、車種毎に異なる設計で入浴用設備機器を架装することとなっている。また、それとともに車種によって異なる配管構造の製作が必要となっている。
【０００５】
このような架装時の不便を解消するため、本件特許出願人は、特願２０００−２７５５５５において、ベース車輌の強度や耐久性を損なうことなく、入浴用設備機器の架装が可能であり、なおかつ入浴用設備機器の配置その他に関する設計や、給湯設備機器のリサイクルや長期的な使用が容易な移動入浴車を提案している。
【０００６】
この移動入浴車は、入浴用設備機器を収容する収容室としてコンテナボックスを用い、そのコンテナボックスをトラックベースなどのベース車両に対して着脱可能な構成とすることで、複数車種に対する互換性を確保することができるようになっている。
【０００７】
【発明が解決しようとする課題】
しかしながら、上述した移動入浴車においては、複数の入浴用設備機器を荷室の床面にそれぞれボルトなどで固定する構造や、コンテナボックスに載置された１つの部材にすべての入浴用設備機器を固定する構造が用いられているため、保守点検や修理を行う場合に特殊な工具が必要となるだけでなく、入浴用設備機器の設置や取り外しに多くの人手を要していた。そして、それが移動入浴車の管理費用や保守点検費用の増加の原因となっていた。
【０００８】
本発明は、上記問題点に鑑み、簡単な構造であり、入浴用設備機器の設置や取り外しが容易な構造の移動入浴車を提供することを目的とする。
【０００９】
【課題を解決するための手段】
上記目的は、以下（１）〜（８）の本発明により達成される。
【００１０】
（１）複数の入浴用設備機器を搭載した移動入浴車であって、前記移動入浴車は、ベース車両と、前記ベース車両に設けられているコンテナボックスとを有し、前記コンテナボックスには、前記コンテナボックスの内部に固定されて設けられている枠状のコアフレームと、前記コアフレームに対して着脱自在に設けられているパーツフレームとが収容されており、前記パーツフレームには、前記入浴用設備機器の少なくとも１つが支持されていることを特徴とする移動入浴車。
【００１１】
（２）前記コアフレームは、前記移動入浴車の荷室の床面に設置されるＸ軸コアフレームと、前記移動入浴車の荷室の床面に対してほぼ垂直に設けられ、前記Ｘ軸コアフレームの上面または側面にその下端部が固定されたＹ軸コアフレームとから構成されている上記（１）に記載の移動入浴車。
【００１２】
（３）前記Ｙ軸コアフレームの上端部に該Ｙ軸コアフレームの横揺れを規制する横揺れ規制手段が設けられている上記（２）に記載の移動入浴車。
【００１３】
（４）前記パーツフレームは、少なくとも前記Ｘ軸コアフレームの上面または側面に取り付けられる上記（２）または（３）に記載の移動入浴車。
【００１４】
（５）前記入浴用設備機器は、浴槽を含み、前記コアフレームは、少なくとも前記浴槽を支持し得るよう構成されている上記（１）ないし（４）のいずれかに記載の移動入浴車。
【００１５】
（６）前記入浴用設備機器は、入浴用水を加熱する際に使用されるボイラーと、該ボイラーの燃料を貯蔵する燃料タンクとを含む上記（１）ないし（５）のいずれかに記載の移動入浴車。
【００１６】
（７）前記パーツフレームは、第１のパーツフレームと第２のパーツフレームとを含み、前記第１のパーツフレームおよび前記第２のパーツフレームは、前記コアフレームを挟んで対向配置されている上記（１）ないし（６）のいずれかに記載の移動入浴車。
【００１７】
（８）前記第１のパーツフレームは前記ボイラーを支持し、前記第２のパーツフレームは、前記燃料タンクを支持するよう構成されている上記（７）に記載の移動入浴車。
【００１８】
本発明の他の目的、作用および効果は、図面を参照して行う以下の実施形態の説明から、より明らかとなるであろう。
【００１９】
【発明の実施の形態】
以下、本発明に係る移動入浴車を添付図面に示す好適な実施形態に基づいて詳細に説明する。
【００２０】
図１は、本発明の移動入浴車の全体構造を示す側面図である。図２は、本発明の移動入浴車の後面図である。図３は、本発明の移動入浴車の荷室内に収容された入浴用設備機器および支持部材を示す後面図である。図４は、本発明の移動入浴車に係る支持部材（Ｘ軸コアフレーム、Ｘ軸パーツフレーム）の平面図である。
【００２１】
本発明の移動入浴車１は、車中に積載された浴槽２を訪問先の住宅に運び込んで入浴車を入浴させる移動入浴サービスなどに使用される移動入浴車であって、図１および図２に示すように、入浴の際に使用される浴槽２、入浴用水を車中に積載するための貯水タンク３、貯水タンク３内の入浴用水を加熱する際に使用されるボイラー４、ボイラー４の燃料を貯蔵する燃料タンク５などを含む入浴用設備機器と、入浴用設備機器を支持する支持部材６と、入浴用設備機器および支持部材６を収容する荷室８１が設けられたコンテナボックス８と、コンテナボックス８を支持するベース車輌９とを備えている。
【００２２】
以下、各部の構成について説明する。
浴槽２は、樹脂などの軽量な材料で形成されており、搬送時の利便性向上などの理由から、２つの要素に分割した上で各要素を積み重ねて搬送できるように構成されている。また、浴槽２は、図１および図２に示すように、２つの要素を積み重ねた状態でコンテナボックス８に収容され、コンテナボックス８の後方に設けられた支持部材６の後述するコアフレーム６１（図３および図４参照）に支持される。
【００２３】
貯水タンク３は、ステンレスなどの板材をほぼ箱状に形成し、内部に入浴用水を貯水できるよう構成したものであり、図１に示すように、コンテナボックス８の前方に設けられている。貯水タンク３の上部には、入浴の際に用いられる入浴器材を収納する棚３１が設けられている。
【００２４】
ボイラー４は、浴槽２の図２中右側に設けられている。このボイラー４は、支持部材６の後述するパーツフレーム７Ｒ（図３および図４参照）に設けられている。このボイラー４よって加熱された湯は、浴槽２へと供給され、入浴に使用される。
【００２５】
燃料タンク５は、浴槽２の図２中左側に設けられている。この燃料タンク５は、支持部材６の後述するパーツフレーム７Ｌ（図３および図４参照）に設けられている。また、この燃料タンク５は、ボイラー４で使用する燃料を貯蔵する機能を有しており、給油パイプ（図示せず）によってボイラー４と接続されている。
【００２６】
支持部材６は、図３および図４に示すように、コアフレーム６１と、該コアフレーム６１と別体で構成され、コアフレーム６１の左右両側に配置されるパーツフレーム７Ｌ、７Ｒとを有している。
【００２７】
コアフレーム６１は、図２および図３に示すように、コンテナボックス８の床面に固定されたＸ軸コアフレーム６２と、Ｘ軸コアフレーム６２の上部に設けられたＹ軸コアフレーム６６とから構成されている。
【００２８】
Ｘ軸コアフレーム６２は、図４に示すように、ほぼ長方形の枠状に形成された外枠部６３と、外枠部６３の内側に設けられ、外枠部６３の外力による変形を防止する補強材６４とから構成されている。
【００２９】
外枠部６３の下部には、図３に示すように、Ｘ軸コアフレーム６２が取り付けられるコンテナボックス８の床面と、Ｘ軸コアフレーム６２との間に、燃料タンク５からの燃料をボイラー４へと供給する給油管（図示せず）などを設けるスペースを確保するため、スペーサー６５が設けられている。
【００３０】
Ｙ軸コアフレーム６６は、図３に示すように、Ｘ軸コアフレーム６２の図３中左右両側部に設けられており、コンテナボックス８の床面に対してほぼ垂直に立設されている。
【００３１】
Ｙ軸コアフレーム６６の下端部は、前記Ｘ軸コアフレーム６２の上面に固定されている。また、Ｙ軸コアフレーム６６の上端部には、収納棚６７が設けられている。
【００３２】
収納棚６７は、入浴用の器材などを収納するとともに、Ｙ軸コアフレーム６６の上端同士の間隔を一定に保持することで、Ｙ軸コアフレーム６６の横揺れを規制する横揺れ規制手段として機能する。
【００３３】
なお、本実施形態においては、Ｙ軸コアフレーム６６の横揺れ規制手段として収納棚６７を設けているが、この構成に限らず、Ｙ軸コアフレーム６６の上端部同士を接続する補強材によりＹ軸コアフレーム６６の横揺れを規制する構造としてもよい。
【００３４】
また、本実施形態においては、Ｙ軸コアフレーム６６は、Ｘ軸コアフレーム６２の上面に固定されているが、この構成に限らず、Ｙ軸コアフレーム６６は、Ｘ軸コアフレーム６２の側面に固定されていてもよい。
また、コアフレーム６１は、２つ以上設けてもよい。
【００３５】
パーツフレーム７Ｌ、７Ｒは、コアフレーム６１の図３中左右両側に位置しており、各々が、Ｘ軸コアフレーム６２の上面または側面にボルトやナットなどを用いて着脱自在に取り付けられている。
【００３６】
また、パーツフレーム７Ｌ、７Ｒは、コアフレーム６１と同様に、コンテナボックス８の床面側に位置するＸ軸パーツフレーム７１と、コンテナボックス８の床面にほぼ垂直に立設されたＹ軸パーツフレーム７５とから構成されている。
【００３７】
なお、パーツフレーム７Ｌ、７Ｒは、それぞれ本発明における第１、第２のパーツフレームに相当する。また、コアフレーム６１およびパーツフレーム７Ｌ、７Ｒを構成するフレーム部材としては、たとえばステンレス鋼やアルミ合金などを角筒状に形成したものが好適に用いられる。
【００３８】
Ｘ軸パーツフレーム７１は、ほぼ長方形の枠状に形成された外枠部７２と、外枠部７２の内側に設けられ、外枠部７２の外力による変形を防止する補強材７３とを備えている。Ｘ軸パーツフレーム７１の下部には、図３に示すように、Ｘ軸コアフレーム６２と同様にスペーサー７４が設けられている。
【００３９】
Ｙ軸パーツフレーム７５は、Ｘ軸パーツフレーム７Ｌ、７Ｒの上面に固定されている。また、Ｙ軸パーツフレーム７５の上端部には、それぞれ燃料タンク５、ボイラー４が設けられている。
【００４０】
本実施形態においては、各パーツフレーム７Ｌ、７Ｒが、それぞれ燃料タンク５、ボイラー４を支持した状態でコアフレーム６１に対して着脱自在に設けられている。そのため、各パーツフレーム７Ｌ、７Ｒと、これらに取り付けられた入浴用設備機器とをあわせたものを、それぞれユニットとして取り扱うことができる。
【００４１】
このため、当該移動入浴車１に積載された入浴用設備機器のうち、たとえばボイラー４が故障した場合には、ボイラー４とパーツフレーム７Ｒとからなるユニットのみをコアフレーム６１から取り外してコンテナボックス８から取り出すことができる。
【００４２】
このように、パーツフレーム７Ｌ、７Ｒと入浴用設備機器とをユニット化することにより、故障の修理やメンテナンスを行う際に、その作業に必要な入浴用設備機器が取り付けられたユニットだけを簡単に取り出すことができ、前述した従来の移動入浴車のように、保守点検や修理などの際に特殊な工具を要さず、少ない人員で作業を行うことができる。
【００４３】
また、各ユニットはネジなどの固定手段によってコアフレーム６１に対して容易に着脱することができることから、各入浴用設備機器の交換に熟練を必要とせず、各ユニットを購入したユーザーが、自身でユニットを交換し、修理を行うことができる。
【００４４】
また、本実施形態においては、図３に示すように、コアフレーム６１を挟んでパーツフレーム７Ｌ、７Ｒが対向配置されており、各パーツフレーム７Ｌ、７Ｒには、それぞれ燃料タンク５およびボイラー４が設けられている。
【００４５】
このようにコアフレーム６１を挟んでパーツフレーム７Ｌ、７Ｒを対向配置させることにより、各パーツフレーム７Ｌ、７Ｒに支持された燃料タンク５とボイラー４との間に浴槽２やコアフレーム６１を配置することができる。
【００４６】
そして、このような配置とすることで、事故などの際にボイラー４が発火した場合に、浴槽２やコアフレーム６１を燃料タンク５とボイラー４とを隔離する隔壁として機能させることができ、ボイラー４の火が燃料タンク５へと引火するのを防止できる。
【００４７】
また、本実施形態においては、パーツフレーム７Ｌ、７Ｒは、コンテナボックス８の後方（図１中右方向、図２中紙面に垂直な方向）へと引き出すことができるようになっている。
【００４８】
なお、パーツフレーム７Ｌ、７Ｒの床面には、コンテナボックス８との摩擦を減少させるローラーなどを設けることが好ましく、そのような構成とした場合には、パーツフレーム７Ｌ、７Ｒのコンテナボックス８への出し入れを容易に行うことができる。
【００４９】
また、本実施形態においては、パーツフレーム７Ｌ、７Ｒは、コアフレーム６１にボルトやナットを使用して固定しているが、この構成に限らず、ピンやその他の手段によってパーツフレーム７Ｌ、７Ｒをコアフレーム６１に固定してもよい。
【００５０】
また、本実施形態においては、パーツフレーム７Ｌ、７Ｒは、各ユニットの着脱を容易に行えるようコアフレーム６１のみに固定されているが、この構成に限らず、必要に応じてパーツフレーム７Ｌ、７Ｒをコンテナボックス８の床面などに固定してもよい。
【００５１】
また、パーツフレームは、入浴用設備機器の構成に応じて１つあるいは３つ以上設けてもよい。
【００５２】
ベース車輌９は、例えばキャブ付きシャーシなどのコンテナボックス８を支持することが可能な荷台９１を備えた車輌である（図１および図２参照）。ベース車輌９の荷台９１には、コンテナボックス８を着脱自在に固定するための取付部９２が設けられている。
【００５３】
コンテナボックス８は、図１および図２に示すように、天板８２、底板８３、左側板８４、右側板８５、前板８６、および後板８７の６枚のパネルによりほぼ箱型に構成されており、内部が入浴用設備機器を収容する荷室８１となっている。
【００５４】
後板８７は、その上端部を回動中心として天板８２の後端部に回動可能に設置されており、この後板８７の開閉によってコンテナボックス８の後部から浴槽２やその他の入浴用設備機器の搬出入を行うことができるようになっている。
【００５５】
また、底板８３の下面には、当該コンテナボックス８をベース車輌９の取付部９２に対して着脱自在に固定するための取付部材８８が設けられている。取付部９２と取付部材８８とはボルトやナットなどを用いて固定される。
【００５６】
本実施形態の移動入浴車１は、ベース車輌９に対してコンテナボックス８を着脱自在に設けているため、ユーザーがベース車輌９の変更を行う際に、コンテナボックス８をそれまで使用していたベース車輌から新しいベース車輌へと載せ換えるだけで入浴用設備機器のベース車輌９への架装がすべて完了するため、入浴用設備機器のリサイクルや長期的な使用を容易に行うことができる。
【００５７】
なお、取付部材８８およびベース車輌９の取付部９２の形状は、コンテナボックス８をベース車輌９に確実に固定できる構成であればどのようなものであっても良い。
【００５８】
最後に、本発明は、上述した実施形態に限定されることはなく、特許請求の範囲の記載に基づいて、種々の変更および改良等が可能であることは言うまでもない。
【００５９】
たとえば、本発明に係るコアフレームおよびパーツフレームを本実施形態に用いたコンテナボックスではなく、従来より用いられているワンボックスタイプの車輌の荷室に取り付けることも可能である。
【００６０】
【発明の効果】
以上述べたように、本発明の移動入浴車は、各入浴用設備機器が各パーツフレームに固定されているため、各入浴設備機器と、これらを支持する各パーツフレームとをそれぞれ別々のユニットとして扱うことができる。
【００６１】
そのため、故障の修理やメンテナンスを行う際に、その作業に必要なユニットだけを取り出すことができ、前述した従来の移動入浴車のように、修理やメンテナンスの際に不必要な入浴用設備機器を取り出す必要がなくなる。
【００６２】
また、各ユニットの重量が軽量であることから、従来と比較して少ない人員で作業を行うことができる。
【図面の簡単な説明】
【図１】  本発明の移動入浴車の全体構造を示す側面図である。
【図２】  本発明の移動入浴車の後面図である。
【図３】  本発明の移動入浴車の荷室内に収容された入浴用設備機器および支持部材を示す後面図である。
【図４】  本発明の移動入浴車に係る支持部材（Ｘ軸コアフレーム、Ｘ軸パーツフレーム）の平面図である。
【符号の説明】
１  移動入浴車
２  浴槽
３  貯水タンク
３１  棚
４  ボイラー
５  燃料タンク
６  支持部材
６１  コアフレーム
６２  Ｘ軸コアフレーム
６３  外枠部
６４  補強材
６５  スペーサー
６６  Ｙ軸コアフレーム
６７  収納棚
７Ｌ、７Ｒ  パーツフレーム
７１  Ｘ軸パーツフレーム
７２  外枠部
７３  補強材
７４  スペーサー
７５  Ｙ軸パーツフレーム
８  コンテナボックス
８１  荷室
８２  天板
８３  底板
８４  左側板
８５  右側板
８６  前板
８７  後板
８８  取付部材
９  ベース車輌
９１  荷台
９２  取付部
【図１】
0003950664.tif 000002
【図２】
0003950664.tif 000003
【図３】
0003950664.tif 000004
【図４】
0003950664.tif 000005